(57)【要約】【課題】クリップでエアコンの送風口に取り付けられる芳香剤容器において、クリップと容器本体の間の取り合い部が簡易に構成されるとともにエアコンの送風口に安定して保持される芳香剤容器を提供する。【解決手段】芳香剤容器３は、芳香剤包装体２を収納する収納空間を有するとともに、その背面に複数個の通気孔８が形成された容器本体４と、複数個の通気孔８のそれぞれに対応する複数個の通気窓を備えて、容器本体４の背面に回転自在に取り付けられる遮蔽板９と、容器本体４の背面にヒンジ支持されて、容器本体に対して自在に起倒する接続部材１０と、一方端が接続部材１０に接続されて保持されるクリップ５と、を備える。【選択図】図２
0003231513.tif 000002
【実用新案登録請求の範囲】
【請求項１】
芳香剤を収納する収納空間を有するとともに、その背面に複数個の通気孔が形成された容器本体と、
前記複数個の通気孔のそれぞれに対応する複数個の通気窓を備えて、前記容器本体の背面に回転自在に取り付けられる遮蔽板と、
前記容器本体の背面にヒンジ支持されて、前記容器本体に対して自在に起倒する接続部材と、
一方端が前記接続部材に接続されて保持されるクリップと、を備える、
芳香剤容器。
【請求項２】
前記容器本体は、前記接続部材に係合して前記接続部材の前記ヒンジ周りの回転を拘束する爪部材を有する、
請求項１に記載の芳香剤容器。
【請求項３】
前記クリップは、前記クリップの長手軸周りに回転自在に、前記接続部材に保持される、
請求項１又は請求項２に記載の芳香剤容器。
【請求項４】
前記クリップは、２枚の挟持片を有し、前記挟持片の相手方に対面する部位に、当該相手方に向かって突出する突起部を備える、
請求項１から請求項３のいずれか一項に記載の芳香剤容器。
【請求項５】
請求項１から請求項４のいずれか一項に記載の芳香剤容器と、
前記芳香剤容器の前記収納空間に収納された芳香剤を有する、
芳香発生器。
【考案の詳細な説明】
【技術分野】
【０００１】
本考案は、エアコンの送風口に取り付けられて、当該送風口から送出される空気に芳香を付与する芳香剤容器と、該芳香剤容器を備える芳香発生器に関する。
【背景技術】
【０００２】
芳香剤を収納して芳香発生器を構成する芳香剤容器が知られている。例えば、特許文献１には、収納空間を有し、複数の通気孔及び接続部が設けられる容器本体と、容器本体に枢転可能に設置され、複数の通気孔に対応する複数の遮蔽孔を有する遮蔽部材と、両端にそれぞれ挟持端部及び球軸を有するクリップとを備える、自動車用芳香剤容器セットが開示されている。この自動車用芳香剤容器セットにおいて、クリップは球軸を介して、接続部に揺動及び回転自在に支持される。
【０００３】
特許文献１に記載の自動車用芳香剤容器セットは、クリップを備えるので、エアコンの送風口の案内羽根を該クリップで挟むことによって、エアコンの送風口に保持される。また、クリップは球軸を介して接続部に支持されているので、クリップを容器本体に対して自在に回転及び傾動させることができる。そのため、自動車用芳香剤容器セットの方向及び傾きを案内羽根に対して自在に変更できる。
【先行技術文献】
【特許文献】
【０００４】
【特許文献１】登録実用新案第３２２２３１６号公報
【考案の概要】
【考案が解決しようとする課題】
【０００５】
しかしながら、特許文献１に記載の自動車用芳香剤容器セットが備えるクリップは球軸を介して接続部に支持されるので、接続部に球軸を揺動及び回転自在に支持する承け部材を必要とする。そのため、クリップと容器本体の間の取り合い部の構造が複雑になるという問題がある。また、クリップと接続部の間の取り合い部を小型することが難しいという問題がある。そして、容器本体はクリップに対して自在に回転するので、容器本体が安定して保持されないという問題もある。そのため、容器本体が送風口から送出される空気を受けて振動するという問題も生じる。
【０００６】
本考案は、クリップでエアコンの送風口に取り付けられる芳香剤容器において、クリップと容器本体の間の取り合い部が簡易に構成されるとともにエアコンの送風口に安定して保持される芳香剤容器を提供することを目的とする。加えて、該芳香剤容器を備える芳香発生器を提供することを目的とする。
【課題を解決するための手段】
【０００７】
上記目的を達成するために、本考案に係る芳香剤容器は、芳香剤を収納する収納空間を有するとともに、その背面に複数個の通気孔が形成された容器本体と、複数個の通気孔のそれぞれに対応する複数個の通気窓を備えて、容器本体の背面に回転自在に取り付けられる遮蔽板と、容器本体の背面にヒンジ支持されて、容器本体に対して自在に起倒する接続部材と、一方端が接続部材に接続されて保持されるクリップと、を備える。
【０００８】
容器本体は、接続部材に係合して接続部材のヒンジ周りの回転を拘束する爪部材を有するものであっても良い。
【０００９】
クリップは、当該クリップの長手軸周りに回転自在に、接続部材に保持されるものであっても良い。
【００１０】
クリップは、２枚の挟持片を有し、挟持片の相手方に対面する部位に、当該相手方に向かって突出する突起部を備えるものであっても良い。
【００１１】
本考案に係る芳香発生器は、上記のいずれかの芳香剤容器と、芳香剤容器の収納空間に収納された芳香剤を有するものである。
【考案の効果】
【００１２】
本考案によれば、芳香剤容器は、容器本体の背面にヒンジ支持されて、容器本体に対して自在に起倒する接続部材を備える。また、クリップが接続部材に保持される。そのため、クリップと容器本体の間の取り合い部が簡易に構成される。また、容器本体がエアコンの送風口に安定して保持される。
【図面の簡単な説明】
【００１３】
【図１】本考案の実施形態に係る芳香発生器の外形を示す斜視図である。
【図２】図１に記載の芳香発生器の構成を示す分解斜視図である。
【図３】図１に記載の芳香発生器のクリップを容器本体に対して折り畳んだ状態を示す背面図である。
【図４】図３に記載の芳香発生器を、図３においてＡＡ’線で示す平面で切断して示す断面図である。
【図５】図１に記載の芳香発生器のクリップを容器本体に対して立ち上げた状態を示す背面図である。
【図６】図５に記載の芳香発生器を、図５においてＢＢ’線で示す平面で切断して示す断面図である。
【図７】図１に記載の芳香発生器の背面図であって、（Ａ）は通気孔が開放された状態を、（Ｂ）は通気孔が閉鎖された状態を、それぞれ示す図である。
【考案を実施するための形態】
【００１４】
図１は、本考案の実施形態に係る芳香発生器１の外形を示す斜視図である。図１に示すように、芳香発生器１は、芳香剤包装体２と芳香剤包装体２を保持する芳香剤容器３とで構成される。芳香剤容器３は、芳香剤包装体２を収納する収納空間を備える容器本体４と、図示しない自動車用エアコンの送風口の案内羽根を挟んで、芳香剤容器３を案内羽根に保持するクリップ５を備える。
【００１５】
図２は、芳香発生器１の構成を示す分解斜視図である。図２に示すように、容器本体４は、正面フレーム６と、正面フレーム６の背面を塞ぐ背面板７とを有する。正面フレーム６と背面板７の間には収納空間が形成され、収納空間には芳香剤包装体２が収納される。つまり、芳香剤包装体２は正面フレーム６と背面板７との間に収納される。
【００１６】
芳香剤包装体２は、芳香成分を含む液体、つまり液状の芳香剤を合成樹脂で成形された袋状の容器に充填して構成される。芳香剤包装体２の容器は５面、つまり正面と上下左右の面が液密性の材料で構成され、背面のみが液透過性の材料で構成されている。そのため、芳香剤包装体２の内部に充填された芳香剤は芳香剤包装体２の背面に浸み出して、そこで蒸発する。その結果、芳香が発散される。なお、芳香発生器１の流通過程においては、芳香剤包装体２の背面には図示しない液密性のフィルムが貼付されて、芳香剤の蒸散を防止している。このフィルムは、ユーザーによって使用前に除去される。芳香剤包装体２の容器の正面は透明な材料で構成されている。また、容器本体４の正面フレーム６は正面が開口している。そのため、芳香発生器１を正面から見る場合に、芳香剤包装体２内液状の芳香剤の量を視認することができる。
【００１７】
図２に示すように、背面板７には複数個の通気孔８が形成されている。また、複数個の通気孔８は、等間隔に円環状に配列されている。このように、容器本体４は背面板７に通気孔８を備えるので、芳香剤包装体２の背面で蒸発した芳香剤の蒸気は、通気孔８を通って、容器本体４の外部に流れる。
【００１８】
また、図２に示すように、背面板７には、遮蔽板９と接続部材１０とが取り付けられている。クリップ５は接続部材１０を介して背面板７に、つまり、容器本体４に取り付けられている。なお、芳香剤容器３の構成する各部品は、いずれも、合成樹脂を射出成形して構成される。また、遮蔽板９と接続部材１０の具体的な構成と作用については後述する。
【００１９】
図３は芳香発生器１のクリップ５を容器本体４に対して折り畳んだ状態を示す背面図である。図４は、芳香発生器１を、図３においてＡＡ’線で示す平面で切断して示す断面図である。
【００２０】
図３，４に示すように、遮蔽板９は中心部が切り開けられた円盤状の部材であって、図４においてＸで示す軸周りに回転自在に背面板７に軸支されている。また、図３に示すように、遮蔽板９には、背面板７が備える通気孔８と同数の通気窓１１が穿設されている。また、通気窓１１は円環状に等間隔に配置されている。なお、通気孔８と通気窓１１の作用については後述する。  
【００２１】
接続部材１０は、容器本体４とクリップ５との間にあって、クリップ５を容器本体４に接続する部材である。また、接続部材１０は、図３においてＹで示す軸周りに揺動自在に背面板７にヒンジ支持されている。クリップ５は、図４に示すように、その基端が接続部材１０に嵌装されていて、図４においてＺで示す軸、つまりクリップ５の長手軸周りに回転自在に支持されている。そのため、クリップ５はＹ軸周りに自在に揺動して、容器本体４に対して自在に起倒する。また、クリップ５はクリップ５の長手軸周りに自在に回転する。
【００２２】
前述したように、クリップ５は図示しない自動車用エアコンの送風口の案内羽根を挟持する部材であって、図４に示すように、２枚の挟持片５ａ,５ｂを有している。そして挟持片５ａ,５ｂの相手方に対面する部位には、当該相手方に向かって突出する突起部５ｃを備えている。突起部５ｃを備えることによって、クリップ５の案内羽根に対するスリップが抑制され、案内羽根がより確実に把持される。
【００２３】
また、図３，４に示すように、背面板７は１対の爪部材７ａを備えている。なお、爪部材７ａの作用については後述する。
【００２４】
図５は芳香発生器１のクリップ５を容器本体４に対して立てた状態を示す背面図である。つまり、図５は図１に示した状態において、芳香発生器１を背面から見た図である。図６は、芳香発生器１を、図５においてＢＢ’線で示す平面で切断して示す断面図である。なお、図６に示すように、図５，６に示す状態においては、Ｘ軸とＺ軸が重なる。
【００２５】
前述したように、接続部材１０は、Ｙ軸周りに揺動自在に背面板７に軸支されている。クリップ５は、その基端が接続部材１０に嵌装されている。そのため、芳香発生器１においては、必要に応じて、図３，４に示すように、クリップ５を容器本体４に対して折り畳むことができる。あるいは、必要に応じて、図５，６に示すように、クリップ５を容器本体４に対して立てることができる。例えば、芳香発生器１の流通過程においては、図３，４に示した形態を選択することによって、芳香発生器１の梱包を小さく纏めることができる。芳香発生器１の使用時においては、図５，６に示した形態を選択することによって、容器本体４を図示しない自動車のエアコンの送風口の案内羽根に正対させることができる。その結果、送風口から送出される空気が十分に容器本体に流れるので、芳香剤を十分に発散させることができる。
【００２６】
また、図５，６に示すように、芳香発生器１のクリップ５を容器本体４に対して立てた状態においては、爪部材７ａが接続部材１０に係合して、接続部材１０のヒンジ周りの回転を拘束する。そのため、芳香発生器１のクリップ５を容器本体４に対して立てた状態が安定して保持される。つまりクリップ５の倒れが抑制される。
【００２７】
図７（Ａ）と図７（Ｂ）は芳香発生器１の背面図である。図４，６に示したように、遮蔽板９はＸ軸周りに回転自在に背面板７に軸支されている。また、前述したように、遮蔽板９には、背面板７が備える通気孔８と同数の通気窓１１が穿設されている。また、通気孔８と同数の通気窓１１は、遮蔽板９が図７（Ａ）に示す位置にある時、つまり、遮蔽板９のタブ９ａを左側に倒した場合に、互いに重なるように配置されている。この時、通気孔８がほぼ完全に開放されるので、図示しない送風口が送出される空気が芳香剤包装体２（図７において図示なし）の背面に当たる。その結果、芳香剤の蒸散が促されて、芳香の発散量が増加する。
【００２８】
一方、遮蔽板９が図７（Ｂ）に示す位置にある時、つまり、遮蔽板９のタブ９ａを右側に倒した時には、通気孔８は遮蔽板９によって完全に遮蔽される。そのため、図示しない送風口が送出される空気が芳香剤包装体２（図７において図示なし）の背面には当たらない。その結果、芳香剤の蒸散が抑制されて、芳香の発散量が減少する。
【００２９】
また、図７（Ａ）と図７（Ｂ）に示すように、遮蔽板９のタブ９ａは容器本体４の上方に突出しているので、芳香発生器１を図示しない自動車のエアコンの送風口に取り付け状態であっても、容易にタブ９ａを動かすことができる。したがって、芳香発生器１の使用中に、芳香の発散量を容易に調整することができる。
【００３０】
以上、説明したように、芳香剤容器３は容器本体４の背面板７にヒンジ支持された接続部材１０を備えて、接続部材１０にクリップ５を取り付けて構成されるので、容器本体４とクリップ５の間の取り合い部分が簡易に構成される。そのため、該部分の小型化が容易である。また、背面板７に爪部材７ａを備えて、クリップ５を容器本体４に対して起立させた場合に、接続部材１０が爪部材７ａと係合する。その結果、接続部材１０とクリップ５のＹ軸周りの回転が拘束される。そのため、クリップ５でエアコンの送風口の案内羽根を挟んだ場合に、容器本体４の案内羽根に対する変位が抑制される。
【００３１】
なお、本願考案の技術的範囲は、上記の実施形態によっては、限定されない。本考案は、実用新案登録請求の範囲に記載の技術的思想の限りにおいて、自由に、応用変形あるいは改良して実施することができる。
【００３２】
本願考案に係る芳香剤容器の、形状、寸法、素材及び細部の構成は、上記の実施形態によっては限定されない。本願考案に係る芳香剤容器の、形状、寸法、素材及び細部の構成は、任意に選択することができる。
【００３３】
本願考案に係る芳香剤容器に収納される芳香剤は、液体状の芳香剤には限定されないし、芳香剤包装体２を構成するものには限定されない。本願考案に係る芳香剤容器に収納される芳香剤は固体状の芳香材であって良い。固体状の芳香材は無包装の状態で芳香剤容器に収納されても良い。
【００３４】
なお、上記の実施形態において、芳香発生器１を自動車用のエアコンの送風口に取り付けて使用する例を示したが、本願考案に係る芳香発生器は自動車用のエアコンの送風口に取り付けて使用されるものには限定されない。本願考案に係る芳香発生器は、住宅用、あるいは自動車以外の乗物用のエアコンの送風口に取り付けて使用されても良い。
【符号の説明】
【００３５】
１  芳香発生器、２  芳香剤包装体、３  芳香剤容器、４  容器本体、５  クリップ、５a,５ｂ  挟持片、５ｃ  突起部、６  正面フレーム、７  背面板、７ａ  爪部材、８  通気孔  ９  遮蔽板、９a  タブ、１０  接続部材、１１  通気窓
【図１】
0003231513.tif 000003
【図２】
0003231513.tif 000004
【図３】
0003231513.tif 000005
【図４】
0003231513.tif 000006
【図５】
0003231513.tif 000007
【図６】
0003231513.tif 000008
【図７】
0003231513.tif 000009